(57)【要約】 【課題】  道路標識に対する視認性の向上及び他の車輌に対する幻惑光の発生の防止を図る。【解決手段】  光を前方へ向けて投影する投影レンズ９と、投影レンズの後側焦点Ｆより後方に配置され光軸方向が前後方向とされた光源１１と、光源から出射された光を投影レンズ側へ向けて反射するリフレクター１０と、光源から出射されリフレクターで反射された光の一部を遮蔽すると共に回転可能に支持された回転シェード１３とを設け、回転シェードに車輌の走行状態に応じて異なる配光パターンを形成するための複数のパターン形成面１３ａ、１３ｂを設け、複数の配光パターンのうちの少なくとも一部の配光パターンが、主として路面を照射する第１の照射パターンに加えて第１の照射パターンの上方において主として道路標識を照射する第２の照射パターン４００ｂ、４００ｄを有し、異なる配光パターンに応じて、第２の照射パターンが異なるパターンとなるようにした。【選択図】        図３
2009301763.tif 000002
【特許請求の範囲】
【請求項１】
光を前方へ向けて投影する投影レンズと、前記投影レンズの後側焦点より後方に配置され光軸方向が前後方向とされた光源と、前記光源から出射された前記光を前記投影レンズ側へ向けて反射するリフレクターと、前記光源から出射され前記リフレクターで反射された光の一部を遮蔽すると共に回転可能に支持された回転シェードとを備えた車輌用前照灯であって、
前記回転シェードに車輌の走行状態に応じて異なる配光パターンを形成するための複数のパターン形成面を設け、
前記複数の配光パターンのうちの少なくとも一部の配光パターンが、主として路面を照射する第１の照射パターンに加えて前記第１の照射パターンの上方において主として道路標識を照射する第２の照射パターンを有し、
前記異なる配光パターンに応じて、前記第２の照射パターンが異なるパターンとなるようにした
ことを特徴とする車輌用前照灯。
【発明の詳細な説明】
【技術分野】
【０００１】
本発明は車輌用前照灯に関する。詳しくは、配光パターンを切り替えるための回転シェードによって形成される第２の照射パターンを、配光パターンによって異なるパターンとして視認性の向上等を図る技術分野に関する。
【背景技術】
【０００２】
車輌用前照灯には、例えば、カバーとランプハウジングによって構成された灯具外筐の内部に、光源を有するランプユニットが配置されたものがある。
【０００３】
このような車輌用前照灯のランプユニットには、例えば、光源から出射された光を前方へ向けて投影する投影レンズと、光源から出射された光を投影レンズ側へ反射するリフレクターと、該リフレクターで反射された光の一部を遮蔽するシェードとが設けられ、投影レンズやリフレクター等によってプロジェクター型のランプユニットが構成されているものがある。
【０００４】
車輌用前照灯におけるプロジェクター型のランプユニットには、シェードとして、例えば、車輌の幅方向に延びる軸を支点として回転可能な回転シェードが用いられているものがある（例えば、特許文献１参照）。
【０００５】
特許文献１に記載された車輌用前照灯にあっては、回転シェードが遮光位置と遮光緩和位置の間で回転され、回転シェードが遮光位置にあるときに光源から光が出射されると近距離の位置を照射するロービーム用配光パターンが形成され、回転シェードが遮光緩和位置にあるときに光源から光が出射されると遠距離の位置を照射するハイビーム用配光パターンが形成される。
【０００６】
ロービーム用配光パターンは、主として路面を照射するパターンと、その上方において主として道路標識を照射するオーバーヘッド照射用パターンとの二つのパターンから成る。
【０００７】
ハイビーム用配光パターンは、一つのパターンから成り、水平方向より下方へ向かった光によって主として路面が照射され、水平方向より上方へ向かった光によって主として道路標識が照射される。
【０００８】
【特許文献１】特開２００６−２０２６９４号公報
【発明の開示】
【発明が解決しようとする課題】
【０００９】
ところが、特許文献１に記載された従来の車輌用前照灯にあっては、走行状態、例えば、一般道を走行したときの状態や高速道を走行したときの状態に応じてはオーバーヘッド照射用パターンが形成されないため、走行状態によっては道路標識に対する視認性が悪い場合がある。
【００１０】
また、走行状態に応じてはオーバーヘッド照射用パターンが形成されないため、オーバーヘッド照射用パターンを形成する光が、先行車等の他の車輌に対する幻惑光となってしまうおそれもある。
【００１１】
そこで、本発明車輌用前照灯は、上記した問題点を克服し、道路標識に対する視認性の向上及び他の車輌に対する幻惑光の発生の防止を図ることを課題とする。
【課題を解決するための手段】
【００１２】
車輌用前照灯は、上記した課題を解決するために、光を前方へ向けて投影する投影レンズと、前記投影レンズの後側焦点より後方に配置され光軸方向が前後方向とされた光源と、前記光源から出射された前記光を前記投影レンズ側へ向けて反射するリフレクターと、前記光源から出射され前記リフレクターで反射された光の一部を遮蔽すると共に回転可能に支持された回転シェードとを設け、前記回転シェードに車輌の走行状態に応じて異なる配光パターンを形成するための複数のパターン形成面を設け、前記複数の配光パターンのうちの少なくとも一部の配光パターンが、主として路面を照射する第１の照射パターンに加えて前記第１の照射パターンの上方において主として道路標識を照射する第２の照射パターンを有し、前記異なる配光パターンに応じて、前記第２の照射パターンが異なるパターンとなるようにしたものである。
【００１３】
従って、車輌用前照灯にあっては、車輌の走行状態に応じて異なるパターンの第２の照射パターンが形成される。
【発明の効果】
【００１４】
本発明車輌用前照灯は、光を前方へ向けて投影する投影レンズと、前記投影レンズの後側焦点より後方に配置され光軸方向が前後方向とされた光源と、前記光源から出射された前記光を前記投影レンズ側へ向けて反射するリフレクターと、前記光源から出射され前記リフレクターで反射された光の一部を遮蔽すると共に回転可能に支持された回転シェードとを備えた車輌用前照灯であって、前記回転シェードに車輌の走行状態に応じて異なる配光パターンを形成するための複数のパターン形成面を設け、前記複数の配光パターンのうちの少なくとも一部の配光パターンが、主として路面を照射する第１の照射パターンに加えて前記第１の照射パターンの上方において主として道路標識を照射する第２の照射パターンを有し、前記異なる配光パターンに応じて、前記第２の照射パターンが異なるパターンとなるようにしたことを特徴とする。
【００１５】
従って、車輌の走行状態に拘わらず道路標識に対する視認性の向上を図ることができると共に他の車輌に対する幻惑光の発生の防止を図ることができる。
【発明を実施するための最良の形態】
【００１６】
以下に、本発明車輌用前照灯を実施するための最良の形態について添付図面を参照して説明する。
【００１７】
車輌用前照灯１、１は、それぞれ車体の前端部における左右両端部に取り付けられて配置されている。
【００１８】
車輌用前照灯１は、図１に示すように、前方に開口された凹部を有するランプハウジング２と該ランプハウジング２の開口面を閉塞するカバー３とを備えている。ランプハウジング２とカバー３によって灯具外筐４が構成され、該灯具外筐４の内部空間は灯室５として形成されている。
【００１９】
ランプハウジング２の後端部には前後に貫通された取付孔２ａが形成されている。取付孔２ａにはバックカバー６が取り付けられている。
【００２０】
灯室５にはランプユニット７が配置されている。ランプユニット７はレンズホルダー８と該レンズホルダー８の前端部に取り付けられた投影レンズ９とレンズホルダー８の後面に取り付けられたリフレクター１０と該リフレクター１０の後端部に取り付けられた光源１１とを有している。
【００２１】
ランプユニット７はランプハウジング２に図示しない光軸調整機構を介して支持されている。従って、光軸調整機構を動作させることによりランプユニット７をランプハウジング２に対して上下方向又は左右方向へ移動させて光源から出射される光の光軸調整（エイミング調整又はレベリング調整）を行うことが可能とされている。
【００２２】
レンズホルダー８は前後方向に貫通された略円筒状に形成されている。レンズホルダー８は図示しない支持部材に水平方向に回動自在に支持されている。従って、レンズホルダー８を有するランプユニット７が灯具外筐４に対して水平方向（左右方向）へ回動可能とされている。
【００２３】
このようなランプユニット７の灯具外筐４に対する左右方向への回動は、運転者のステアリング操作に連動して行われる。
【００２４】
投影レンズ９は前方側の表面が凸面に形成され後方側の表面が後方を向く平面に形成されている。投影レンズ９は後側焦点Ｆを含む焦点面上の像を反転して前方へ投影する機能を有する。
【００２５】
リフレクター１０は内面が反射面１０ａとして形成され、該反射面１０ａは前端部を除き、例えば、略楕円球面に形成されている。反射面１０ａは、光源１１の後述する発光部に第１焦点が一致され投影レンズ９の後側焦点Ｆに第２焦点が一致されるように形成されている。
【００２６】
光源１１は、例えば、放電バルブであり、外管１１ａの内部に設けられた発光部１１ｂから光を出射する。発光部１１ｂから出射された光は前方へ向かうか又はリフレクター１０の反射面１０ａで反射され、投影レンズ９の後側焦点Ｆを含む焦点面上に集光され、投影レンズ９によって前方へ照明光として投影される。
【００２７】
ランプユニット７の内部には、投影レンズ９と光源１１の間に固定シェード１２が設けられている。固定シェード１２は上端縁１２ａが投影レンズ９の後側焦点Ｆに一致されている。光源１１から出射された光は、固定シェード１２によって上方側へ向かう光が遮蔽される。
【００２８】
ランプユニット７の内部には、固定シェード１２の上端縁１２ａの近傍の位置に回転シェード１３が配置されている。回転シェード１３は車輌の幅方向に長い形状に形成され、車輌の幅方向へ延びる軸を支点として回転可能とされている。回転シェード１３は略半円柱状に形成され、その外周面に、周方向に離隔して第１のパターン形成面１３ａと第２のパターン形成面１３ｂと第３のパターン形成面１３ｃが設けられている。第１のパターン形成面１３ａと第２のパターン形成面１３ｂは、それぞれ、例えば、円弧面状に形成されている。回転シェード１３には第１のパターン形成面１３ａと第２のパターン形成面１３ｂと第３のパターン形成面１３ｃの各間の部分に、それぞれ外方へ突出された突部１３ｄ、１３ｄ、１３ｄが設けられている。回転シェード１３が回転されることにより、走行状態に応じて配光パターンが切り替えられる。
【００２９】
配光パターンとしては、走行状態に応じて、例えば、四つのパターンが形成される。四つのパターンは、例えば、タウン用パターン、ベーシック用パターン、モーターウェイ用パターン及びハイビーム用配光パターンであり、タウン用パターン、ベーシック用パターン及びモーターウェイ用パターンは何れもロービーム用配光パターンに含まれる。
【００３０】
タウン用パターンは、例えば、市街地等における低速走行時に用いられるパターンであり、ベーシック用パターンは、例えば、一般道等における走行時に用いられるパターンであり、モーターウェイ用パターンは、例えば、高速道等における高速走行時に用いられるパターンである。ハイビーム用配光パターンは、遠方を照射するときに用いられるパターンである。これらの各パターンの切替は、例えば、運転者によるパターン切替スイッチに対する操作によって行われる。
【００３１】
図２は、ロービーム用配光パターンのタウン用パターンにおける状態を示す図であり、上側から順に、車輌１００の走行時に光源１１から出射された光の路面２００への照射状態３００Ａを示す配光図、光源１１から出射された光の配光パターン４００Ａを示す図、回転シェード１３の状態を示す図である。
【００３２】
タウン用パターンにおいては、配光パターン４００ＡのカットオフラインＣＬ、ＣＲが水平線Ｈより下方に位置されている。
【００３３】
光源１１から出射された光は一部が回転シェード１３の各部で遮蔽され、主として道路標識を照射する所謂オーバーヘッドサインと称される第２の照射パターンは形成されない。
【００３４】
従って、第１の照射パターン４００Ａは主として路面２００を照射する第１の照射パターン４００ａのみによって構成されている。
【００３５】
図３は、ロービーム用配光パターンのベーシック用パターンにおける状態を示す図であり、上側から順に、車輌１００の走行時に光源１１から出射された光の路面２００への照射状態３００Ｂを示す配光図、光源１１から出射された光の配光パターン４００Ｂを示す図、回転シェード１３の状態を示す図である。
【００３６】
ベーシック用パターンにおいては、配光パターン４００ＢのカットオフラインＣＬが水平線Ｈに一致され、配光パターン４００ＢのカットオフラインＣＲが水平線Ｈより下方に位置されている。
【００３７】
光源１１から出射された光は一部が回転シェード１３の第１のパターン形成面１３ａで反射され、この反射された光が投影レンズ９を介して前方へ照射されることにより、主として道路標識を照射する所謂オーバーヘッドサインと称される第２の照射パターン４００ｂとして形成される。
【００３８】
従って、配光パターン４００Ｂは、主として路面２００を照射する第１の照射パターン４００ｃと、該第１の照射パターン４００ｃの上方に形成され主として道路標識を照射する第２の照射パターン４００ｂとによって構成されている。第２の照射パターン４００ｂは近距離に位置する道路標識を照射するために、横長のパターンに形成され、照射輝度は低くされている。
【００３９】
図４は、ロービーム用配光パターンのモーターウェイ用パターンにおける状態を示す図であり、上側から順に、車輌１００の走行時に光源１１から出射された光の路面２００への照射状態３００Ｃを示す配光図、光源１１から出射された光の配光パターン４００Ｃを示す図、回転シェード１３の状態を示す図である。
【００４０】
モーターウェイ用パターンにおいては、配光パターン４００ＣのカットオフラインＣＬが水平線Ｈより上方に位置され、配光パターン４００ＣのカットオフラインＣＲが水平線Ｈより下方に位置されている。
【００４１】
光源１１から出射された光は一部が回転シェード１３の第２のパターン形成面１３ｂで反射され、この反射された光が投影レンズ９を介して前方へ照射されることにより、主として道路標識を照射する所謂オーバーヘッドサインと称される第２の照射パターン４００ｄとして形成される。
【００４２】
従って、配光パターン４００Ｃは、主として路面２００を照射する第１の照射パターン４００ｅと、該第１の照射パターン４００ｅの上方に形成され主として道路標識を照射する第２の照射パターン４００ｄとによって構成されている。第２の照射パターン４００ｄは遠距離に位置する道路標識を照射するために、べーシックパターンにおける第２の照射パターン４００ｂより左右の長さが短いパターンに形成され、照射輝度は高くされている。
【００４３】
図５は、ハイビーム用配光パターンにおける状態を示す図であり、上側から順に、車輌１００の走行時に光源１１から出射された光の路面２００への照射状態３００Ｄを示す配光図、光源１１から出射された光の配光パターン４００Ｄを示す図、回転シェード１３の状態を示す図である。
【００４４】
ハイビーム用配光パターンにおいては、配光パターン４００Ｄが水平線Ｈの上下に連続して位置されている。
【００４５】
光源１１から出射された光は一部が回転シェード１３の第３のパターン形成面１３ｃで反射され、この反射された光によって配光パターン４００Ｄの一部が形成されている。
【００４６】
ハイビーム用配光パターンにおいては、配光パターン４００Ｄにおける上端側の光によって主に道路標識が照射され、配光パターン４００Ｄにおけるそれ以外の光によって主に路面２００が照射される。
【００４７】
以上に記載した通り、車輌用前照灯１にあっては、回転シェード１３に車輌１００の走行状態に応じて異なる配光パターンを形成するための複数のパターン形成面１３ａ、１３ｂを設け、主として道路標識を照射する第２の照射パターン４００ｂ、４００ｄが、車輌１００の走行状態に応じて異なるパターンとなるようにしている。
【００４８】
従って、車輌１００の走行状態に拘わらず道路標識に対する視認性の向上を図ることができる。
【００４９】
また、車輌１００の走行状態に応じて異なるパターンの第２の照射パターン４００ｂ、４００ｄが形成されるため、他の車輌に対する幻惑光の発生の防止を図ることができる。
【００５０】
尚、上記には、配光パターンとして、走行状態に応じた四つのパターンを例として示したが、配光パターンは四つのパターンに限られることはなく、配光パターンの数は任意に設定することが可能である。
【００５１】
また、上記には、ベーシック用パターンとモーターウェイ用パターンに第２の照射パターンを形成した例を示したが、例えば、タウン用パターンにも第２の照射パターンを形成するようにしたもよい。
【００５２】
上記した発明を実施するための最良の形態において示した各部の形状及び構造は、何れも本発明を実施するに際して行う具体化のほんの一例を示したものにすぎず、これらによって本発明の技術的範囲が限定的に解釈されることがあってはならないものである。
【図面の簡単な説明】
【００５３】
【図１】図２乃至図５と共に本発明車輌用前照灯の最良の形態を示すものであり、本図は、車輌用前照灯の概略縦断面図である。
【図２】ロービーム用配光パターンのタウン用パターンにおける状態を示す図である。
【図３】ロービーム用配光パターンのベーシック用パターンにおける状態を示す図である。
【図４】ロービーム用配光パターンのモーターウェイ用パターンにおける状態を示す図である。
【図５】ハイビーム用配光パターンにおける状態を示す図である。
【符号の説明】
【００５４】
１…車輌用前照灯、９…投影レンズ、１０…リフレクター、１１…光源、１３…回転シェード、１３ａ…第１のパターン形成面、１３ｂ…第２のパターン形成面、１００…車輌、４００Ａ…配光パターン、４００ａ…第１の照射パターン、４００Ｂ…配光パターン、４００ｂ…第２の照射パターン、４００ｃ…第１の照射パターン、４００Ｃ…配光パターン、４００ｄ…第２の照射パターン、４００ｅ…第１の照射パターン、４００Ｄ…配光パターン
【図１】
2009301763.tif 000003
【図２】
2009301763.tif 000004
【図３】
2009301763.tif 000005
【図４】
2009301763.tif 000006
【図５】
2009301763.tif 000007